(57)【要約】【課題】本発明は、帯を傷めること無く、容易に美しく、常に一定の大きさのお太鼓の形を作ることが出来る、作って装着する帯結びの方法を提供する。【解決手段】本発明は、着物用帯（３０）を着装具（２）に手（３）を渡らせて、ゴム紐（４）で止め、ゆるみ分を小型クリップ（５）で留めて、お太鼓（２０）を作り、間に手（３）を通し４ヶ所をクリップのような物で留めて、目の前で作ってから背部に装着することを特徴とする帯結びの方法である。【選択図】図１
2008133575.tif 000002
【特許請求の範囲】
【請求項１】
着物用帯のお太鼓結びを容易に美しく形成する方法であって、着装具（２）に帯の手（３）を、渡らせてゴム紐（４）で結び、固定されていることを特徴とする作って装着する帯結びの方法。
【請求項２】
渡らせた帯の手（３）と胴部に巻きつける帯が一直線になるように、ゆるみ分をゴム紐（４）の左横に折りたたんで、小型和装クリップ（５）で留めることを特徴とする請求項１に記載の作って装着する帯結びの方法。
【発明の詳細な説明】
【技術分野】
【０００１】  本発明は、着物の着付けに際しての、着物用帯の帯結びを容易、迅速に、且つ美しく作る方法で、詳しくは着物用帯のお太鼓を目の前で形成する為、大きさ、形が美しく、腕に負担をかけない、作って装着する帯結びの方法に関するものである。
【背景技術】
【０００２】  従来、着物用帯結びは、胴体に二度巻きして、背部で一結びして締めてゆく手順の為、帯の結び目から帯が傷ついて、帯の耐用年数を縮めていた。【０００３】  着物用帯結びのお太鼓結びは、帯結びの基本であるにもかかわらず、一人で帯結びをするには、背部に手探りでお太鼓を形成するため、大変困難である。【０００４】  また、背部でお太鼓を形成する為、完成するまで、腕を上げたままで作業するので、腕に負担がかかる。【０００５】  手探りで作業する為に、美しいお太鼓が作りにくいし、形が歪む、大きさが一定に出来ない等、多くの問題があり、もっと容易にお太鼓結びが出来る方法の出現が望まれている。従来の帯結びは、非特許文献１に開示されているものがある。
【非特許文献１】  石田節子著、「はじめてのきものの着付けと帯結び」  株式会社ナツメ社出版、２００５年７月２０日発行、Ｐ６５〜６９
【発明の開示】
【発明が解決しようとする課題】
【０００６】  帯結びをするには、背部で作業する為に、腕が上がらない、背部に手が回らないなど、特に年配の女性には大変困難です。また背部で作業する為お太鼓の大きさが一定にならず、形も歪み完成までに時間がかかる。本発明は、以上の問題点を解決することを課題とする。
【課題を解決するための手段】
【０００７】  前述の課題を解決する為に、本発明は目の前で着物用帯（３０）を着装具（２）に手（３）を渡し、ゴム紐（４）で留めて渡した手（３）のゆるみ分を小型和装クリップ（５）で留めてお太鼓の形を作り、手（３）をお太鼓の間に入れ４ヶ所をクリップのような物で留め、帯締めで背部に装着することを手段の内容とする。【０００８】    これにより、目の前で作る為にお太鼓部の形、大きさを一定に設定する事が出来、また背部に腕を回す事が無いので、腕に負担がかからない。本発明は以上の構成により成る、美しい形を作って装着する帯結びの方法である。
【発明の効果】
【０００９】    本発明により、帯を傷めることが少なく、お太鼓の形が美しく、腕に負担をかけず容易に帯結びが出来る。また全て作ってから装着する為、着物の着崩れすることが無く短時間で結ぶことができる帯結びである。
【発明を実施する為の最良の形態】
【００１０】    帯のたれ（１）を左に、帯の手（３）を右に置き、帯のたれ（１）の方から着装具（２）の約３．５倍とり、クリップのような物（８）で留め、止めた所から胴部一巻分プラス５センチ位の位置にクリップのような物（９）で留めて置く。
【００１１】    帯のたれ（１）を縦に置き直し、手（３）の方から着装具（２）をクリップのような物（８）まで通し、三角に畳んで着装具（２）の下枕と帯を大きめの和装クリップ（１０）で留め着装具（２）の枕の下にゴム紐（４）を置く。
【００１２】    胴部に巻く部分として計って留めておいたクリップのような物（９）の所を外側に折り返し二枚重ねにします。重ねた帯の上部を着装具（２）から１０センチ位の位置にクリップのような物（１１）で押さえる。同様に帯の下部にクリップのような物（１２）で押さえる。クリップのような物（９）をはずす。
【００１３】    図１で示す様に、長く残している手（３）を着装具（２）に渡らせ、セットしておいたゴム紐（４）で留める。クリップのような物（８）をはずす。
【００１４】    図２で示す様に、渡らせた手（３）と着装具（２）と胴に巻く帯、全てを一直線にする為に、図４に示すゴム紐（４）の左下にゆるみ分を畳んで、小型の和装クリップ（５）で留める。ゴム紐（４）の付いている着装具（２）の枕に、帯揚げ（６）をかける。
【００１５】    帯のたれ（１）を下ろして着装具の下枕から８センチ位出し、お太鼓を形成する。余り分はお太鼓の間に入れる。形成したお太鼓（２０）の上一枚目と二枚目の帯の間に、手（３）を入れる。帯締め（７）を通す。お太鼓（２０）と手（３）をクリップのような物（１３）（１４）（１５）（１６）で４ヶ所を留める。
【００１６】    作ったお太鼓（２０）を背部に装着し、着装具（２）に付いている紐を体の前で結び、帯揚げ（６）を体の前で仮結びをする。
【００１７】    胴に帯を二枚重ねにして巻き、着装具（２）の下枕と帯を押さえていた大型の和装クリップ（１０）で、胴に巻いた帯を同じ位置で一緒に留め直す。
【００１８】    巻いた帯がゆるまない様に帯の上部を仮紐で押さえ、セットしておいた帯締め（７）を帯の中心で結び、仮紐を引き抜く。
【００１９】    帯に付いているクリップのような物（１１）（１２）（１３）（１４）（１５）（１６）をはずす。帯揚げ（６）を整え、帯の中心で結ぶ。大型和装クリップ（１０）をはずす。本発明は以上の構成により成る、作って装着する帯結びの方法である。
【産業上の利用可能性】
【００２０】    本発明に係る、作って装着する帯結びは、着物で仕事をする人達に、容易で美しく短時間で着装する事が出来、大変効率的である。また着物初心者でも楽に着装する事が出来るし、着付け教室、着物展示会のデモンストレーション等で、社会に広めてゆく。着物離れを阻止する為にも、また日本の民族衣装を継承する為にも産業上の利用可能性を有する。
【図面の簡単な説明】
【００２１】
【図１】  本発明の方法の要部拡大の正面図
【００２２】
【図２】  本発明の方法の要部拡大の正面図
【００２３】
【図３】  本発明の方法のお太鼓斜視図
【００２４】
【図４】  本発明の方法の要部拡大の正面図
【符号の説明】
【００２４】（３０）着物用帯  （２０）お太鼓  （１）帯たれ  （２）着装具  （３）帯手  （４）ゴム紐  （５）小型和装クリップ  （６）帯揚げ  （７）帯締め  （８）クリップのような物  （９）クリップのような物  （１０）クリップのような物  （１１）クリップのような物  （１２）クリップのような物  （１３）クリップのような物  （１４）クリップのような物  （１５）クリップのような物  （１６）クリップのような物
【図１】
2008133575.tif 000003
【図２】
2008133575.tif 000004
【図３】
2008133575.tif 000005
【図４】
2008133575.tif 000006